(57)【特許請求の範囲】
【請求項１】
鍵と、外郭部と、前記外郭部内にそれぞれ配置される回動可能なハンマ、押下された前記鍵の動作を前記ハンマに伝達するアクション機構、および前記ハンマに打撃されることにより楽音を発生する弦とを備えたアップライトピアノにおいて、
前記外郭部は、
楽音発生手段取付部を具備する天屋根と、
前記楽音発生手段取付部の楽器内部側に取り付けられ、電気信号に基づいて楽音を発生する楽音発生手段と
を有し、
前記楽音発生手段取付部は、前記天屋根とは独立に開閉可能であり、前記楽音発生手段取付部が開放状態にあるときには、前記楽音発生手段が露出することを特徴とするアップライトピアノ。
【請求項２】
鍵と、外郭部と、前記外郭部内にそれぞれ配置される回動可能なハンマ、押下された前記鍵の動作を前記ハンマに伝達するアクション機構、および前記ハンマに打撃されることにより楽音を発生する弦とを備えたアップライトピアノにおいて、
前記外郭部は、
脚柱と、
前記脚柱内部に配置され、電気信号に基づいて楽音を発生する楽音発生手段と
を有することを特徴とするアップライトピアノ。
【請求項３】
鍵と、外郭部と、前記外郭部内にそれぞれ配置される回動可能なハンマ、押下された前記鍵の動作を前記ハンマに伝達するアクション機構、および前記ハンマに打撃されることにより楽音を発生する弦とを備えたアップライトピアノにおいて、
前記外郭部は、
下前板と、
脚柱と、
前記下前板と前記脚柱との間に配置される平板部と、
前記平板部に取り付けられ、電気信号に基づいて楽音を発生する楽音発生手段と
を有することを特徴とするアップライトピアノ。
【請求項４】
鍵と、外郭部と、前記外郭部内にそれぞれ配置される回動可能なハンマ、押下された前記鍵の動作を前記ハンマに伝達するアクション機構、および前記ハンマに打撃されることにより楽音を発生する弦とを備えたアップライトピアノにおいて、
前記外郭部は、
網状に形成された鍵盤押さえ部と、
前記鍵盤押さえ部の楽器内部側に取り付けられ、電気信号に基づいて楽音を発生する楽音発生手段と
を有することを特徴とするアップライトピアノ。
【請求項５】
鍵と、外郭部と、前記外郭部内にそれぞれ配置される回動可能なハンマ、押下された前記鍵の動作を前記ハンマに伝達するアクション機構、および前記ハンマに打撃されることにより楽音を発生する弦とを備えたグランドピアノにおいて、
前記外郭部は、
棚板と、
前記棚板によって一端が回動自在に支持されている取付部材と、
前記取付部材に取り付けられ、電気信号に基づいて楽音を発生する楽音発生手段と
を有し、
前記取付部材が回動することにより、前記楽音発生手段が前記棚板の下部と前記棚板の下部より演奏時の使用者側の位置との間を移動可能になされていることを特徴とするグランドピアノ。
【請求項６】
鍵と、外郭部と、前記外郭部内にそれぞれ配置される回動可能なハンマ、押下された前記鍵の動作を前記ハンマに伝達するアクション機構、および前記ハンマに打撃されることにより楽音を発生する弦とを備えたグランドピアノにおいて、
前記外郭部は、
下面に凹部が形成された棚板と、
前記棚板によって一端が回動自在に支持されている回動部材と、
前記回動部材に取り付けられ、電気信号に基づいて楽音を発生する楽音発生手段と
を有し、
前記回動部材が回動することにより、前記楽音発生手段が前記凹部内と前記棚板の下方との間を移動可能になされていることを特徴とするグランドピアノ。
【発明の詳細な説明】
【０００１】
【発明の属する技術分野】
本発明は、鍵が押下されることにより、弦が楽音を発するアップライトピアノおよびグランドピアノに関する。
【０００２】
【従来の技術】
電子ピアノにおいては、鍵が押下されたことを検出して電気信号を生成し、この電気信号に基づいて押下された鍵に対応する楽音を発生している。この場合に、電気信号を増幅して出力するアンプスピーカを内蔵した電子ピアノも開発されている。
【０００３】
【発明が解決しようとする課題】
しかし、鍵を押下することによりハンマが弦を打撃して楽音を発生するグランドピアノやアップライトピアノなどのアコースティック鍵盤楽器には、アンプスピーカを内蔵したものがなかった。従って、弦による楽音発生を行うと共に、演奏データに基づいて電気信号を生成し、この電気信号に基づいて楽音を発生する場合などには、アンプスピーカを別に用意してケーブル等で接続する必要がある。このため、使用者はケーブル接続を行う必要があり、また楽器付近にケーブルがあるため外観が損なわれる。また、鍵盤楽器を配置するスペース以外にアンプスピーカを設置するスペースが必要となる。
【０００４】
本発明は、上記の事情を考慮してなされたものであり、弦による発音が可能なアコースティックピアノにおいて、外観を損なわず、また設置スペースを増加することなく、電気信号に基づいて楽音を発生することが可能なアップライトピアノおよびグランドピアノを提供することを目的とする。
【０００５】
【課題を解決するための手段】
上記課題を解決するため、本発明に係るアップライトピアノは、鍵と、外郭部と、前記外郭部内にそれぞれ配置される回動可能なハンマ、押下された前記鍵の動作を前記ハンマに伝達するアクション機構、および前記ハンマに打撃されることにより楽音を発生する弦とを備えたアップライトピアノにおいて、
電気信号に基づいて楽音を発生する楽音発生手段を前記外郭部に取り付けたことことを特徴としている。
【０００６】
この構成によれば、電気信号に基づいて楽音を発生する楽音発生手段、例えばアンプスピーカ等を用いて楽音を発生させる場合にも、アップライトピアノとアンプスピーカとの間をケーブル等で接続する必要がない。従って、ケーブル等がないため、外観を損なうことがない。また、アンプスピーカを設置するスペースも不要である。
【０００７】
また、上記構成のアップライトピアノにおいて、前記鍵が押下されたことを検出して電気信号を生成するセンサをさらに具備し、
前記楽音発生手段は、前記センサにより生成された電気信号に基づいて楽音を発生するようにしてもよい。
【０００８】
また、上記構成のアップライトピアノにおいて、外部からの演奏データを入力する入力部をさらに具備し、
前記楽音発生手段は、前記入力部から入力された演奏データに対応した楽音を発生するようにしてもよい。
【０００９】
また、本発明に係るグランドピアノは、鍵と、外郭部と、前記外郭部内にそれぞれ配置される回動可能なハンマ、押下された前記鍵の動作を前記ハンマに伝達するアクション機構、および前記ハンマに打撃されることにより楽音を発生する弦とを備えたグランドピアノにおいて、
電気信号に基づいて楽音を発生する楽音発生手段を前記外郭部に取り付けたことを特徴としている。
【００１０】
この構成によれば、電気信号に基づいて楽音を発生する楽音発生手段、例えばアンプスピーカ等を用いて楽音を発生させる場合にも、グランドピアノとアンプスピーカとの間をケーブル等で接続する必要がない。従って、ケーブル等がないため、外観を損なうことがない。また、アンプスピーカを設置するスペースも不要である。
【００１１】
また、上記構成のグランドピアノにおいて、前記鍵が押下されたことを検出して電気信号を生成するセンサをさらに具備し、
前記楽音発生手段は、前記センサにより生成された電気信号に基づいて楽音を発生するようにしてもよい。
【００１２】
また、上記構成のグランドピアノにおいて、外部からの演奏データを入力する入力部をさらに具備し、
前記楽音発生手段は、前記入力部から入力された演奏データに対応した楽音を発生するようにしてもよい。
【００１３】
【発明の実施の形態】
以下、図面を参照して本発明の実施形態について説明する。
Ａ．アップライトピアノ
本発明は、アップライトピアノに楽音発生手段であるアンプスピーカを取り付けた構成に特徴を有しており、具体的なアップライトピアノへのアンプスピーカの取付例を説明するに先立ち、アップライトピアノの概略構成について図１を用いて説明する。
【００１４】
同図に示すように、アップライトピアノは、ピアノ外郭１０、その中央に設けられた鍵盤１１、およびピアノ外郭１０の下部に設けられたペダル１２を備えた構成となっている。
【００１５】
ピアノ外郭１０は、ピアノ前面における鍵盤１１の上方に配置される上前板１４、鍵盤１１の下方に配置される下前板１５、鍵盤１１等を支持する脚柱１６、ピアノ上部に配置される天屋根１７、鍵盤１１の両端側に配置される拍子木１８、鍵盤１１の下方に配置される棚板１９、鍵盤１１の上方に配置される鍵盤押さえ部３２、および鍵盤１１を覆い隠すことが可能な鍵盤蓋１３等を備えた構成となっている。これらの各構成要素の機能などは、通常のアップライトピアノと同様であるため、その説明を省略する。
【００１６】
ここで、図２はアップライトピアノの側断面図である。同図に示すように、棚板１９の上面には、アップライトピアノの全幅に亘って延在する筬後２０、筬中２１および筬前２２が取り付けられている。筬中２１には図示せぬバランスピンが取り付けられており、これにより鍵２３は筬中２１の上面で上下方向に回動自在に支持されている。この構成の下、鍵２３が押下されると、鍵２３の後端部が上昇し、キャプスタン２４がハンマアクション機構２５を押し上げるようになっている。
【００１７】
キャプスタン２４によりハンマアクション機構２５が押し上げられると、ハンマアクション機構２５が作動し、ハンマ２６が弦２７を打弦して楽音を発生させるようになっている。このハンマアクション機構２５の奥側（図における左側）には、ダンパー機構２８が設けられている。鍵２３が押下されると、ダンパースプーン２９が図の左側に移動してダンパーレバー３０を押すことにより、ダンパーヘッド３１が弦２７から離れるようになっている。これにより、押下されていない鍵２３に対応する弦２７の共振を防止している。
【００１８】
Ｂ．アップライトピアノへのアンプスピーカの取付例
次に、上述したような構成のアップライトピアノへのアンプスピーカの取付例について説明する。
【００１９】
Ｂ−１．下前板への取付例
図３は、アップライトピアノの下前板１５にアンプスピーカ１を取り付けた例を示す。同図に示すように、この例においては、アンプスピーカ１が下前板１５における図の左右両端側にそれぞれ取り付けられている。図３および図４に示すように、アンプスピーカ１は、下前板１５に形成された貫通穴４０に嵌め入れられており、その表面（図の右側）には網状に形成されたメッシュ鋼板４１が取り付けられた構成となっている。ここで、メッシュ鋼板４１は、下前板１５と同色のものを用いることが外観上好ましい。
【００２０】
ここで、図５はアンプスピーカが取り付けられたアップライトピアノの電気的構成を示す図である。同図に示すように、アンプスピーカ１は、音源装置５０と接続されている。音源装置５０は、各鍵２３に対応して設けられ押鍵センサ５１と接続されている。押鍵センサ５１は、鍵２３の運動を検出するセンサである。押鍵センサ５１としては、例えば鍵２３によって打撃される圧電素子や、フォトインタラプタ等の光センサを棚板１９（図４参照）の上面に配置し、光センサの光軸を遮光するシャッタを鍵２３の下面に取り付けた構成のものを使用することができる。
【００２１】
押鍵センサ５１により検出された電気信号は、音源装置５０に出力される。音源装置５０は、電気信号を出力した押鍵センサ５１に割り当てられた音色および音高を有する楽音波形をアンプスピーカ１に出力する。アンプスピーカ１は、この楽音波形を増幅して放出することにより楽音を発生する。
【００２２】
また、音源装置５０は、ＭＩＤＩ端子等の外部入力端子（入力部）５２と接続されている。外部入力端子５２は、アップライトピアノ外部の電子機器から送信される演奏データ（例えば、ＭＩＤＩデータ）を受け取り、音源装置５０に出力する。音源装置５０は、このように外部入力端子５２を介して外部から送られる演奏データに基づいて楽音波形を生成し、アンプスピーカ１に出力する。これにより演奏データに基づく楽音の発生が可能となっている。なお、以下に説明する様々な取付例（グランドピアノを含む）においても、電気的構成は図５に示すものと同様とする。
【００２３】
また、下前板１５にアンプスピーカ１を取り付ける例としては、図６に示すようなものがある。同図に示すように、下前板１５にアンプスピーカ１を取り付けた構成は、上述した取付例と同様であるが、下前板１５の上部全域に亘って網状のメッシュ鋼板６０が取り付けられている。また、図７に示すように、下前板１５の左右両端部分に網状のメッシュ鋼板６１を取り付けるようにしてもよい。ここで、メッシュ鋼板６０およびメッシュ鋼板６１は下前板１５と同色のものを用いることが外観上好ましい。
【００２４】
Ｂ−３．上前板への取付例
図８は、アップライトピアノの上前板１４にアンプスピーカ１を取り付けた例を示す。同図に示すように、この例においては、アンプスピーカ１が上前板１４における図の左右両端側にそれぞれ取り付けられている。アンプスピーカ１は、下前板１５に形成された貫通穴８０に嵌め入れられており、その表面には網状に形成されたメッシュ鋼板８１が取り付けられた構成となっている。ここで、メッシュ鋼板８１は、上前板１４と同色のものを用いることが外観上好ましい。
【００２５】
また、上前板１４にアンプスピーカ１を取り付ける例としては、図９に示すようなものがある。同図に示すように、上前板１４にアンプスピーカ１を取り付けた構成は、上述した取付例と同様であるが、上前板１４の上部全域に亘って網状のメッシュ鋼板９０が取り付けられている。また、図１０に示すように、上前板１４の左右両端部分に網状のメッシュ鋼板９１を取り付けるようにしてもよい。ここで、メッシュ鋼板９０およびメッシュ鋼板９１は上前板１４と同色のものを用いることが外観上好ましい。
【００２６】
Ｂ−４．棚板付近への取付例
図１１は、アップライトピアノの棚板１９内にアンプスピーカ１を配置した例を示す。同図に示すように、アンプスピーカ１は、棚板１９に形成された貫通穴（凹部）１００に下向きに嵌め入れられている。また、アンプスピーカ１の表面側（図の下側）には、網状に形成されたメッシュ鋼板１０１が取り付けられている。また、アンプスピーカ１は、アップライトピアノにおける図の紙面垂直方向の両端側にそれぞれ配置されている。
【００２７】
Ｂ−５．天屋根への取付例
図１２は、アップライトピアノの天屋根１７にアンプスピーカ１を取り付けた例を示す。同図に示すように、この取付例においては、アンプスピーカ１は、天屋根１７に形成された貫通穴１２０に上向きに嵌め入れられている。また、アンプスピーカ１の表面側（図の上側）には、網状に形成されたメッシュ鋼板１２１が取り付けられている。また、アンプスピーカ１は、アップライトピアノにおける図の紙面垂直方向の両端側にそれぞれ配置されている。
【００２８】
また、天屋根１７にアンプスピーカ１を取り付ける例としては、図１３に示すようなものもある。この取付例では、アンプスピーカ１は、天屋根１７の楽器内部側の面に取り付けられている。また、アンプスピーカ１は、鍵２３の先端側（図の右下側）に向けて配置されている。天屋根１７は、天屋根支持部１３１に固定された軸１３２によって回動可能に支持されている。使用者がアンプスピーカ１から楽音を発生させる場合には、図１４に示すように、天屋根１７を回動させる。そして、ストッパー１４０によって天屋根１７を開放状態で維持することができるようになっている。このように、天屋根１７を開放すると、アンプスピーカ１が演奏者側に向いて露出するようになっている。
【００２９】
また、図１５に示すように、天屋根１７におけるアンプスピーカ１が取り付けられたアンプスピーカ取付部（天屋根）１５０のみを開閉可能にするようにしてもよい。
また、図１６および図１７に示すように、上前板１４の上部に網状に形成されたメッシュ鋼板１６０を設けるようにしてもよい。このようにすれば、天屋根１７を閉じた状態でも十分な楽音の発生を行うことができる。なお、図１２〜図１７に示した天屋根１７にアンプスピーカ１を取り付ける場合、上述した２枚屋根のアップライトピアノに限らず、１枚屋根のアップライトピアノに適用することも可能である。
【００３０】
Ｂ−６．脚柱への取付例
図１８は、通常のアップライトピアノの構成要素である脚柱１６の代わりアンプスピーカを内蔵した脚柱を利用した例を示す。同図に示すように、この取付例では、アンプスピーカ１を内蔵した円柱状の脚柱１８０を用いている。脚柱１８０の上部には、円筒状に形成された網状のメッシュ鋼板１８１が配置されており、この内部にアンプスピーカ（図示略）を内蔵した構成となっている。なお、脚柱１８０の形状は円柱状に限定されるものではなく、角柱状などでもよい。この場合には、メッシュ鋼板１８１も角形に形成することが外観上好ましい。
【００３１】
Ｂ−７．拍子木への取付例
図１９は、アップライトピアノの拍子木１８にアンプスピーカ１を取り付けた例を示す。同図に示すように、この取付例においては、アンプスピーカ１は、拍子木１８に形成された貫通穴（凹部）１９０に上側を向けて嵌め込まれている。また、アンプスピーカ１は、両端側の拍子木１８にそれぞれ取り付けられた構成となっている。
【００３２】
Ｂ−８．鍵盤押さえ部付近への取付例
図２０は、鍵盤押さえ部３２の代わりにアンプスピーカ１を配置した例を示す。同図に示すように、アンプスピーカ１は、取付部材２００を介して上前板１４に固定されている。また、アンプスピーカ１は、演奏者側に向けて配置されており、その表面側には網状のメッシュ鋼板２０１が配設されている。図２１に示すように、メッシュ鋼板２０１は、鍵盤１１の長手方向の全域に亘って配設されている。つまり、メッシュ鋼板２０１は、アンプスピーカ１の発する楽音を外部に届きやすくするとともに、鍵盤押さえ部としての機能を有している。
【００３３】
Ｂ−９．脚柱と下前板との間への取付例
図２２は、脚柱１６と下前板１５との間にアンプスピーカを配置した例を示す。同図に示すように、この取付例では、脚柱１６と下前板１５との間に間隔を保持した状態で２枚の平板状のメッシュ鋼板（平板部）２０６を配置している。これにより、図２３に示すように、脚柱１６、下前板１５、および２枚のメッシュ鋼板２０６により空間が形成されることになる。この空間内にアンプスピーカ１が取り付けられている。このようにアンプスピーカ１を配置すれば、通常のアップライトピアノと比べて外観上若干の違いが出てくるが品質を損なうほどのものではない。
【００３４】
Ｃ．グランドピアノ
本発明は、上述したアップライトピアノに限らず、楽音発生手段であるアンプスピーカをグランドピアノに取り付ける実施形態があり、グランドピアノへの具体的なアンプスピーカの取付例を説明するに先立ち、グランドピアノの概略構成について図２４を用いて説明する。
【００３５】
同図に示すように、グランドピアノは、ピアノ外郭２２０、鍵盤２２１、およびペダル２２３等を備えている。ピアノ外郭２２０は、鍵盤２２１を覆い隠すことが可能な鍵盤蓋２２２、譜面台２２４、フレーム２２５、脚柱２２６、鍵盤２２１の両端に配置される拍子木２２７、ペダル２２３を支持するペダルつり２２８、棚板２３１、上やね２２９および大やね２３０等を備えた構成となっている。また、ピアノ外郭２２０は、後述するペダル持竿や、ペダル持竿の下部に取り付けられるペダル笠木を備えており、このペダル笠木にペダルつり２２８が取り付けられた構造となっている。これらの各構成要素の機能などは、通常のグランドピアノと同様であるため説明を省略する。
【００３６】
ここで、図２５は、グランドピアノの鍵盤付近の側断面図である。棚板２３１の上方には、筬２３３が載置されており、筬２３３の上方には、鍵２３４が支持されている。鍵２３４は、筬２３３に突設されたバランスピン２３５を介して回動自在になされており、演奏者が図における左側である前端部を押し下げて演奏するようになっている。このような鍵２３４が図の紙面垂直方向である左右方向に並設され、鍵盤２２１が構成されている。
【００３７】
筬２３３の上方には、鍵２３４と同数のハンマアクション機構２３６が併設されており、鍵２３４が回動すると、ハンマアクション機構２３６が作動し、そのハンマ２３７が図示せぬ弦を打弦して楽音を発生させるようになっている。
【００３８】
このハンマアクション機構２３６の奥側には、弦を押さえるダンパー機構２３８が設けられている。符号２３９は、鍵盤の全長に亘って延在するダンパレールである。このダンパレール２３９には、ダンパーレバーフレンジ２４０を介して、前後方向に延びるダンパーレバー２４１の一端が回動自在にピン結合されている。ダンパーレバー２４１の自由端部である前端部には、ダンパブロック２４２が回動自在に取り付けられ、このダンパブロック２４２には、上方に延びるダンパワイヤ２４３が取り付けられている。
【００３９】
このダンパワイヤ２４３の上方に、弦を上から押さえる図示せぬダンパが取り付けられている。ハンマアクション機構２３６によれば、回動された鍵２３４の後端部によりダンパーレバーフレンジ２４０が突き上げられ、ハンマ２３７が弦を打撃する直前に、ダンパが弦から上に離れるようになっている。これにより、押下されていない鍵２３４に対応する弦の共振が防がれる。
【００４０】
Ｄ．グランドピアノへのアンプスピーカの取付例
次に、上述したような構成のグランドピアノへのアンプスピーカの取付例について説明する。
【００４１】
Ｄ−１．棚板への取付例
図２６は、グランドピアノにおける棚板２３１にアンプスピーカを取り付けた例を示す。同図に示すように、この例では、棚板２３１の下部における鍵盤の並び方向の両端側のそれぞれにアンプスピーカ保持ボックス２４６を取り付け、これらのアンプスピーカ保持ボックス２４６にアンプスピーカ１を嵌め込んだ構成となっている。また、アンプスピーカ１は、図における右斜め下側に向けて配置されている。なお、図２７に示すよう形状のアンプスピーカ保持ボックス２４７にアンプスピーカ１を嵌め込めば、アンプスピーカ１を図の右側である演奏者側に向けて配置することも可能である。
【００４２】
また、棚板２３１にアンプスピーカを取り付ける例としては、図２８に示すようなものもある。同図に示すように、この例では、棚板２３１の下部における鍵盤の並び方向の両端側のそれぞれに固定された軸２６１に平板状の取付部材２６０の一端が回動自在に支持されている。取付部材２６０の他端側には、アンプスピーカ１が取り付けられている。図は、アンプスピーカ１を使用する時の状態であり、この状態で上方を向くようにアンプスピーカ１が取り付けられている。一方、アンプスピーカ１を使用しないときには、取付部材２６０を回動させて図２９に示す位置に配置すればよい。このようにすれば、演奏時などにアンプスピーカ１が使用者の妨げとなることがない。
【００４３】
他にも、図３０に示すように、棚板２３１に貫通穴（凹部）２８０を形成しておき、この貫通穴２８０内にアンプスピーカ１が配置されるようにしてもよい。この例では、アンプスピーカ１は、棚板２３１に固定された軸２８２に、その一端が回動自在に支持された回動部材２８１に取り付けられている。これにより、使用時には、図３１に示すように、回動部材２８１を回転させることにより、アンプスピーカ１が露出するようになっている。このようにすれば、アンプスピーカ１を棚板２３１の貫通穴２８０内に配置したときには、外観上、通常のグランドピアノと変わらない。
【００４４】
また、図３２に示すように、棚板２３１に貫通穴（凹部）３００を形成し、この貫通穴３００内にアンプスピーカ１を下向きに嵌め込むようにしてもよい。
【００４５】
Ｄ−２．支柱への取付例
図３３は、グランドピアノを裏面から視た図である。同図に示すように、このグランドピアノには、フレーム２２５等と共働して弦の張力を支え、弦の張力によるそりやねじれなどの変形を防止する３本の支柱３１１がフレーム２２５に取り付けられている。アンプスピーカ１は、支柱３１１に固定された取付部材３１２により２つの支柱３１１の間に配置されている。この場合、図３４に示すようにアンプスピーカ１がフレーム２２５より下側にはみ出ないように配置すれば、外観上、通常のグランドピアノと変わることがない。
【００４６】
また、図３５に示すように、支柱３１１（図３３参照）の下部にアンプスピーカ保持ボックス３３０を取り付け、このアンプスピーカ保持ボックス３３０内にアンプスピーカ１を配置するようにしてもよい。
【００４７】
Ｄ−３．譜面台への取付例
図３６は、グランドピアノの譜面台２２４に、左右両端側のアンプスピーカ１を組み込んだ例を示す。同図に示すように、譜面台２２４の左右両端側には、貫通穴（凹部）３４１が形成されており、この貫通穴３４１にアンプスピーカ１が上向きに嵌め入れられている。
【００４８】
Ｄ−４．拍子木への取付例
図３７は、グランドピアノの拍子木２２７にアンプスピーカ１を取り付けた例を示す。同図に示すように、この取付例においては、アンプスピーカ１は、拍子木２２７に形成された貫通穴（凹部）３５０に上側を向けて嵌め込まれている。また、アンプスピーカ１は、両端側の拍子木２２７にそれぞれ取り付けられた構成となっている。
【００４９】
Ｄ−５．ペダル持竿への取付例
図３８は、グランドピアノのペダル構造を示す側断面図である。同図に示すように、グランドピアノにおける棚板２３１の下部には、ペダル持竿３６０が取り付けられている。ペダル持竿３６０の下部には、ペダル笠木３６１を介してペダルつり２２８が取り付けられており、ペダルつり２２８の下端には、ペダル２２３を支持するペダル支持部３６２が取り付けられている。この構成の下、演奏者にペダル２２３が踏まれると、その動きが突き上げロッド３６３等を介して上述したダンパー機構２３８（図２５参照）に伝達される。
【００５０】
ここで、ペダル持竿３６０は、上方が開放した断面Ｃ字状であり、棚板２３１に取り付けられることにより内部に空間を形成している。この空間内にアンプスピーカ１が配置されている。また、ペダル持竿３６０の下面におけるペダル笠木３６１が取り付けられていない部分、つまり２本のペダルつり２２８の間の位置に貫通穴３６４が形成されている。この貫通穴３６４からアンプスピーカ１の楽音放出部である表面部が露出するようにアンプスピーカ１が取り付けられている。
【００５１】
Ｄ−６．ランプ台への取付例
図３９は、グランドピアノの譜面台２２４の左右側に配置されるランプ台３９１にアンプスピーカ１が取り付けられた例を示す。同図に示すように、この取付例においては、アンプスピーカ１は、ランプ台３９１に形成された貫通穴（凹部）３９２に上側を向けて嵌め入れられている。また、ランプ台３９１は、グランドピアノの演奏者側の端部を軸として回動可能に支持されており、アンプスピーカ１使用時には、図４０に示すように、ランプ台３９１を回動させることができるようになっている。この場合、ランプ台３９１の傾斜を複数段階に調整できるようにしてもよい。
【００５２】
Ｄ−７．フレーム内部への取付例
図４１は、グランドピアノのフレーム２２５の内部にアンプスピーカを配置した例を示す。同図に示すように、この取付例においては、フレーム２２５を補強するリブ４００に固定金具４０１を介してアンプスピーカ１が取り付けられている。この例では、アンプスピーカ１の取付位置を明確にするために図示は省略する譜面台の左右側に位置するようになっている。また、他にも、アンプスピーカを大やね２３０の下方に配置するようにしてもよい。このように、フレーム２２５内にアンプスピーカを配置すれば、外部からはアンプスピーカ１が見えないため、通常のグランドピアノと外観が変わらない。また、アンプスピーカ１が楽音を発生させた場合には、図示せぬ響板や大やね２３０等に音が反射し、音を演奏者やその周囲に豊かに響かせることができる。
【００５３】
Ｅ．効果
上述したような様々な取付例で説明したアップライトピアノやグランドピアノにおいては、アンプスピーカ１の表面部が露出する場合には、その表面を周囲のフレーム等と同色のものを用いれば、通常のピアノと外観上ほとんど変わらない。また、アンプスピーカ１を可動可能に組み込んだ例では、アンプスピーカ１を使用しない場合には、アンプスピーカ１をピアノ内部側に収納することができる。従って、外観上、通常のピアノと変わらない。また、アンプスピーカはピアノに組み込まれているので、別にアンプスピーカ等を設置するスペースが必要とならならず、またケーブル等の接続も不要である。
【００５４】
また、鍵の動きを検出して電気信号を生成する押鍵センサ５１を有しているので、弦を打撃しなくてもアンプスピーカ１から楽音を発生させることができる。従って、ハンマの動きを打弦直前に止める公知のハンマストッパ機構等を用いれば、弦を打撃して楽音を発生した場合の音量よりも小さい音量や大きい音量、つまり任意の音量でアンプスピーカ１から発音させることが可能である。
【００５５】
また、ＭＩＤＩデータ等の演奏データを外部から入力可能な外部入力端子５２を有しているので、外部から入力された演奏データに基づいて、アンプスピーカ１が楽音を発生することが可能である。従って、演奏者による実際の演奏（弦を打撃する）と、アンプスピーカ１からの発音とを同時に行うことができる、つまりアンサンブル演奏が可能となる。
【００５６】
Ｆ．変形例
なお、上述した実施形態においては、外部入力端子５２と押鍵センサ５１との両方を備える構成となっていたが、いずれか一方のみを備える構成としてもよい。
【００５７】
また、上述した種々の取付例を組み合わせるようにしてもよい。例えば、図４２に示すように、アップライトピアノにおいて、上前板１４および下前板１５のそれぞれにアンプスピーカ１を組み込むようにしてもよい。また、アンプスピーカ１の取付数も上述した取付例で説明した数に限らず、ピアノの外郭部に設置場所があれば任意である。
【００５８】
【発明の効果】
以上説明したように、本発明によれば、弦による発音が可能なアップライトピアノやグランドピアノの外観を損なわず、また設置スペースを増加することなく、電気信号に基づいて楽音を発生することが可能となる。
【図面の簡単な説明】
【図１】  本発明の前提となるアップライトピアノを示す斜視図である。
【図２】  前記アップライトピアノの側断面図である。
【図３】  本発明の実施形態に係るアップライトピアノであって、アンプスピーカが下前板に取り付けられたアップライトピアノを示す斜視図である。
【図４】  下前板にアンプスピーカが取り付けられた前記アップライトピアノの側断面図である。
【図５】  下前板にアンプスピーカが取り付けられた前記アップライトピアノの電気的構成を示すブロック図である。
【図６】  下前板にアンプスピーカが取り付けられたアップライトピアノの他の例を示す斜視図である。
【図７】下前板にアンプスピーカが取り付けられたアップライトピアノのさらに他の例を示す斜視図である。
【図８】  本発明の実施形態に係るアップライトピアノであって、アンプスピーカが上前板に取り付けられたアップライトピアノを示す斜視図である。
【図９】  上前板にアンプスピーカが取り付けられたアップライトピアノの他の例を示す斜視図である。
【図１０】  上前板にアンプスピーカが取り付けられたアップライトピアノのさらに他の例を示す斜視図である。
【図１１】  本発明の実施形態に係るアップライトピアノであって、アンプスピーカが棚板に取り付けられたアップライトピアノを示す斜視図である。
【図１２】  本発明の実施形態に係るアップライトピアノであって、アンプスピーカが天屋根に取り付けられたアップライトピアノの側断面図である。
【図１３】  天屋根にアンプスピーカが取り付けられたアップライトピアノの他の例を示す側断面図である。
【図１４】  図１３に示すアップライトピアノを示す斜視図である。
【図１５】  天屋根にアンプスピーカが取り付けられたアップライトピアノのさらに他の例を示す斜視図である。
【図１６】  図１３に示すアップライトピアノの変形例を示す斜視図である。
【図１７】  図１５に示すアップライトピアノの変形例を示す斜視図である。
【図１８】  本発明の実施形態に係るアップライトピアノであって、アンプスピーカが脚柱に取り付けられたアップライトピアノを示す斜視図である。
【図１９】  本発明の実施形態に係るアップライトピアノであって、アンプスピーカが拍子木に取り付けられたアップライトピアノの拍子木付近を示す斜視図である。
【図２０】  本発明の実施形態に係るアップライトピアノであって、アンプスピーカが鍵盤押さえ部付近に取り付けられたアップライトピアノの側断面図である。
【図２１】  図２０に示すアップライトピアノを示す斜視図である。
【図２２】  本発明の実施形態に係るアップライトピアノであって、アンプスピーカが脚柱と下前板との間に取り付けられたアップライトピアノを示す斜視図である。
【図２３】  図２２に示すアップライトピアノの脚柱付近の断面図である。
【図２４】  本発明の前提となるグランドピアノを示す斜視図である。
【図２５】  前記グランドピアノの主要部の構成を示す側断面図である。
【図２６】  本発明の実施形態に係るグランドピアノであって、アンプスピーカが棚板に取り付けられたグランドピアノを示す側面図である。
【図２７】  棚板にアンプスピーカが取り付けられたグランドピアノの他の例を示す側面図である。
【図２８】  棚板にアンプスピーカが取り付けられたグランドピアノのさらに他の例を示す側面図である。
【図２９】  図２８に示すグランドピアノの、アンプスピーカ収納時の状態を示す側面図である。
【図３０】  本発明の実施形態に係るグランドピアノであって、アンプスピーカが棚板内部に取り付けられたグランドピアノを示す側面図である。
【図３１】  図３０に示すグランドピアノの、アンプスピーカ使用時の状態を示す側面図である。
【図３２】  図３０に示すグランドピアノの変形例を示す側面図である。
【図３３】  本発明の実施形態に係るグランドピアノであって、アンプスピーカが支柱に取り付けられたグランドピアノを裏面から視た図である。
【図３４】  図３３に示すグランドピアノの側面図である。
【図３５】  本発明の実施形態に係るグランドピアノであって、アンプスピーカを支柱下部に取り付けたグランドピアノを示す側面図である。
【図３６】  本発明の実施形態に係るグランドピアノであって、アンプスピーカが譜面台に取り付けられたグランドピアノを示す斜視図である。
【図３７】  本発明の実施形態に係るグランドピアノであって、アンプスピーカが拍子木に取り付けられたグランドピアノの拍子木付近を示す斜視図である。
【図３８】  本発明の実施形態に係るグランドピアノであって、アンプスピーカがペダル持竿に取り付けられたグランドピアノのペダル機構付近の側断面図である。
【図３９】  本発明の実施形態に係るグランドピアノであって、アンプスピーカがランプ台に取り付けられたグランドピアノを示す斜視図である。
【図４０】  図３９に示すグランドピアノの、アンプスピーカ使用時の状態を示す斜視図である。
【図４１】  本発明の実施形態に係るグランドピアノであって、アンプスピーカがフレーム内部に配置されたグランドピアノを示す斜視図である。
【図４２】  本発明の実施形態に係るアップライトピアノの変形例であって、アンプスピーカが上前板および下前板に取り付けられたアップライトピアノを示す斜視図である。
【符号の説明】
１…アンプスピーカ（楽音発生手段）、１０…ピアノ外郭、１１…鍵盤、１４…上前板、１５…下前板、１６…脚柱、１７…天屋根、１８…拍子木、１９…棚板、２３…鍵、２５…ハンマアクション機構、２６…ハンマ、２７…弦、３２…鍵盤押さえ部、４１…メッシュ鋼板、５０…音源装置、５１…押鍵センサ、５２…外部入力端子（入力部）、６０…メッシュ鋼板、６１…メッシュ鋼板、８１…メッシュ鋼板、９０…メッシュ鋼板、９１…メッシュ鋼板、１００…貫通穴（凹部）、１２１…メッシュ鋼板、１３１…天屋根支持部、１５０…アンプスピーカ取付部（天屋根）、１６０…メッシュ鋼板、１８０…脚柱、１８１…メッシュ鋼板、１９０…貫通穴（凹部）、２０１…メッシュ鋼板（鍵盤押さえ部）、２０６…メッシュ鋼板（平板部）、２２０…ピアノ外郭、２２１…鍵盤、２２４…譜面台、２２７…拍子木、２３１…棚板、２３４…鍵、２３６…ハンマアクション機構、２３７…ハンマ、２３８…ダンパー機構、２８０…貫通穴（凹部）、３００…貫通穴（凹部）、３１１…支柱、３４１…貫通穴（凹部）、３５０…貫通穴（凹部）、３６０…ペダル持竿、３９１…ランプ台、３９２…貫通穴（凹部）、４００…リブ、４０１…固定金具
【図１】
0003893772.tif 000002
【図２】
0003893772.tif 000003
【図３】
0003893772.tif 000004
【図４】
0003893772.tif 000005
【図５】
0003893772.tif 000006
【図６】
0003893772.tif 000007
【図７】
0003893772.tif 000008
【図８】
0003893772.tif 000009
【図９】
0003893772.tif 000010
【図１０】
0003893772.tif 000011
【図１１】
0003893772.tif 000012
【図１２】
0003893772.tif 000013
【図１３】
0003893772.tif 000014
【図１４】
0003893772.tif 000015
【図１５】
0003893772.tif 000016
【図１６】
0003893772.tif 000017
【図１７】
0003893772.tif 000018
【図１８】
0003893772.tif 000019
【図１９】
0003893772.tif 000020
【図２０】
0003893772.tif 000021
【図２１】
0003893772.tif 000022
【図２２】
0003893772.tif 000023
【図２３】
0003893772.tif 000024
【図２４】
0003893772.tif 000025
【図２５】
0003893772.tif 000026
【図２６】
0003893772.tif 000027
【図２７】
0003893772.tif 000028
【図２８】
0003893772.tif 000029
【図２９】
0003893772.tif 000030
【図３０】
0003893772.tif 000031
【図３１】
0003893772.tif 000032
【図３２】
0003893772.tif 000033
【図３３】
0003893772.tif 000034
【図３４】
0003893772.tif 000035
【図３５】
0003893772.tif 000036
【図３６】
0003893772.tif 000037
【図３７】
0003893772.tif 000038
【図３８】
0003893772.tif 000039
【図３９】
0003893772.tif 000040
【図４０】
0003893772.tif 000041
【図４１】
0003893772.tif 000042
【図４２】
0003893772.tif 000043